(57)【要約】【課題】空の医療用バッグに安定的に液状物を注入する。【解決手段】漏斗が漏斗保持台７０に保持され、医療用バッグが医療用バッグ懸吊台３０に吊り下げられる。漏斗保持台は回動機構により回動され、また上下方向案内機構により上下方向に案内される。漏斗保持台を医療用バッグ懸吊台の上方にまで回動させ、次いで下降させることにより、漏斗の下端を医療用バッグの液状物注入ポートに容易に挿入することができる。この状態で、液状物を漏斗を介して医療用バッグに注入する。【選択図】図１
2008173301.tif 000002
【特許請求の範囲】
【請求項１】
漏斗を保持する漏斗保持台と、
医療用バッグが吊り下げられる医療用バッグ懸吊台と、
前記漏斗保持台を回動させる回動機構と、
前記漏斗保持台を上下方向に案内する上下方向案内機構と
を備えることを特徴とする医療用バッグ架台。
【請求項２】
前記回動機構が平行リンク機構を含む請求項１に記載の医療用バッグ架台。
【請求項３】
前記平行リンク機構は上下方向に延びた第１案内面が形成されたリンクを備え、前記上下方向案内機構は前記第１案内面を含む請求項２に記載の医療用バッグ架台。
【請求項４】
前記上下方向案内機構は前記第１案内面に沿って案内される上下方向に延設された第１摺動面を含み、前記第１摺動面が前記漏斗保持台に連結された摺動板に設けられている請求項３に記載の医療用バッグ架台。
【請求項５】
更に、前記回動機構を支持する側面板を備え、
前記上下方向案内機構は前記側面板に形成された上下方向に延びた第２案内面を含む請求項１に記載の医療用バッグ架台。
【請求項６】
前記上下方向案内機構は前記第２案内面に沿って案内される上下方向に延設された第２摺動面を含み、前記第２摺動面が前記漏斗保持台に連結された摺動板に設けられている請求項５に記載の医療用バッグ架台。
【請求項７】
前記漏斗保持台が前記医療用バッグ懸吊台の上方に位置するときに、前記漏斗保持台は前記上下方向案内機構により上下方向に移動可能である請求項１に記載の医療用バッグ架台。
【請求項８】
前記回動機構が平行リンク機構を含み、
前記漏斗保持台が前記上下方向案内機構により上下方向に移動可能であるとき、前記平行リンク機構の４つのジョイントが上下方向と平行な一直線上に配列される請求項１に記載の医療用バッグ架台。
【請求項９】
更に、前記回動機構を支持する側面板を備え、
前記側面板は、前記漏斗保持台が前記回動機構により回動する際に、前記漏斗保持台がその重量を支持されながら摺動する支持案内面を備える請求項１に記載の医療用バッグ架台。
【請求項１０】
前記回動機構は、前記医療用バッグ懸吊台の上方から退避した第１回動位置と、前記医療用バッグ懸吊台の上方の位置である第２回動位置との間で前記漏斗保持台を回動させ、
前記第１回動位置と前記第２回動位置との間の第３回動位置にて前記漏斗保持台が重力により回動することがないように、前記支持案内面に切り欠きが形成されている請求項９に記載の医療用バッグ架台。
【請求項１１】
前記回動機構は、前記医療用バッグ懸吊台の上方から退避した第１回動位置と、前記医療用バッグ懸吊台の上方の位置である第２回動位置との間で前記漏斗保持台を回動させ、
前記漏斗保持台が前記第２回動位置に対して前記第１回動位置とは反対側に更に回動するのを防止する回動制限機構を更に備える請求項１に記載の医療用バッグ架台。
【請求項１２】
前記漏斗保持台が前記上下方向案内機構に沿って上方向に抜き取られてしまうのを防止する抜け止め機構を更に備える請求項１に記載の医療用バッグ架台。
【発明の詳細な説明】
【技術分野】
【０００１】
本発明は、空の医療用バッグに液状物を分注する際に使用される医療用バッグ架台に関する。
【背景技術】
【０００２】
経口によらずに患者に栄養や薬剤を投与する方法として経腸栄養法や静脈栄養法が知られている。経腸栄養法では、患者の鼻腔から胃又は十二指腸にまで通されたチューブを介して栄養剤、流動食、又は薬剤などの液状物が投与される。また、静脈栄養法では、患者の静脈に挿入された輸液ラインを介してブドウ糖などの栄養成分や薬剤成分を含む液状物（一般に「輸液」と呼ばれる）が投与される。
【０００３】
経腸栄養法や静脈栄養法を行う際には、患者に投与する液状物を空の医療用バッグに予め注入する作業が必要である。
【０００４】
図８は、従来の医療用バッグの一例の概略構成を示した正面図である。この医療用バッグ９００は、パウチ９１０と、パウチ９１０内に液状物を注入し、またパウチ９１０内に収納された液状物を取り出すための貫通孔９２１が形成されたポート９２０とを備えている。パウチ９１０は、柔軟な２枚のシートを重ね合わせて、その周縁のシール領域９１１にて接合してなる袋状物である。パウチ９１０の、ポート９２０が取り付けられた位置から最も遠い位置近傍のシール領域９１１内に開口９１２が形成されている。ポート９２０はパウチ９１０に比べて相対的に硬い樹脂材料からなる。ポート９２０をパウチ９１０を構成する２枚のシートの周縁間に挟んでヒートシールすることにより、ポート９２０とパウチ９１０とが一体化されている。
【０００５】
空の医療用バッグ９００への液状物の注入は例えば以下のようにして行われる。ポート９２０を一方の手で持ち、ポート９２０の貫通孔９２１に漏斗を挿入する。そして、他方の手で液状物を収納した容器を持ち、漏斗内に液状物を注ぎ込む。所定量の液状物が医療用バッグ９００に注入されると、容器を置き、ポート９２０から漏斗を抜き取る。そして、ポート９２０にキャップを取り付けて貫通孔９２１を塞ぐ。
【特許文献１】特開２００５−２０６２２１号公報
【発明の開示】
【発明が解決しようとする課題】
【０００６】
上記の従来の医療用バッグへの液状物の注入作業では、液状物の注入作業の開始から終了まで、一方の手で常に医療用バッグ９００のポート９２０を持ち続けていなければならない。即ち、一方の手で医療用バッグ９００のポート９２０を持った状態で、他方の手で、漏斗の挿入、液状物の注入、漏斗の抜き取り、キャップの取り付けを順に行う必要がある。
【０００７】
従って、例えば、液状物の注入時は、一方の手で漏斗が挿入されたポートを持ち、他方の手で注入しようとする液状物が収納された容器を持つ必要があるので、両手がふさがった非常に不安定な状態で液状物を注入することを強いられ、液状物をこぼしてしまったりするという課題がある。
【０００８】
また、漏斗を挿入した後はキャップを取り付けるまで医療用バッグ９００を持ち続ける必要があるので、作業を途中で中断することができず、作業者に与える精神的及び肉体的な負担が大きいという課題がある。
【０００９】
特許文献１には、有底のスタンディングパウチ形状の医療用バッグが開示されている。この医療用バッグであれば、机などの上に医療用バッグを自立させた状態で液状物を注入することができる。しかしながら、この場合にも、医療用バッグは柔軟であるので、液状物を注入する際にはその注入用ポートを一方の手で支持し続ける必要がある。また、注入用ポートに漏斗を挿入した場合には、医療用バッグは、漏斗を支持できるほどの強度を有していないので、漏斗を挿入した状態で作業を中断することはできない。
【００１０】
本発明は、上記の従来の課題を解決し、空の医療用バッグに安定的に液状物を注入することができ、作業者に対する負担を軽減できる医療用バッグ架台を提供することを目的とする。
【課題を解決するための手段】
【００１１】
本発明の医療用バッグ架台は、漏斗を保持する漏斗保持台と、医療用バッグが吊り下げられる医療用バッグ懸吊台と、前記漏斗保持台を回動させる回動機構と、前記漏斗保持台を上下方向に案内する上下方向案内機構とを備えることを特徴とする。
【発明の効果】
【００１２】
本発明によれば、漏斗保持台に漏斗を保持させることができ、且つ、医療用バッグ懸吊台に空の医療用バッグを吊り下げることができるので、医療用バッグに液状物を注入する際に作業者が医療用バッグ及び漏斗を保持し続ける必要がない。従って、液状物の注入作業を安定して行うことができる。また、注入作業における作業者に与える負担を軽減することができる。
【発明を実施するための最良の形態】
【００１３】
上記の本発明の医療用バッグ架台において、前記回動機構が平行リンク機構を含むことが好ましい。これにより、回動機構と上下方向案内機構とを容易に連結させることができる。
【００１４】
この場合において、前記平行リンク機構は上下方向に延びた第１案内面が形成されたリンクを備え、前記上下方向案内機構は前記第１案内面を含むことが好ましい。これにより、回動機構を構成する部材を上下方向案内機構を構成する部材としても利用することができるので、部品点数を削減して構造の簡単化及びコストの低減を実現できる。
【００１５】
この場合において、前記上下方向案内機構は前記第１案内面に沿って案内される上下方向に延設された第１摺動面を含み、前記第１摺動面が前記漏斗保持台に連結された摺動板に設けられていることが好ましい。これにより、上下方向案内機構を簡単な構成で実現できる。
【００１６】
上記の本発明の医療用バッグ架台が、更に、前記回動機構を支持する側面板を備えることが好ましい。そして、前記上下方向案内機構は前記側面板に形成された上下方向に延びた第２案内面を含むことが好ましい。これにより、側面板に形成された第２案内面に沿って漏斗保持台を上下方向に案内することができるので、漏斗保持台を上下方向に精度良く案内することができる。
【００１７】
この場合において、前記上下方向案内機構は前記第２案内面に沿って案内される上下方向に延設された第２摺動面を含むことが好ましい。そして、前記第２摺動面が前記漏斗保持台に連結された摺動板に設けられていることが好ましい。これにより、上下方向案内機構を簡単な構成で実現できる。
【００１８】
上記の本発明の医療用バッグ架台において、前記漏斗保持台が前記医療用バッグ懸吊台の上方に位置するときに、前記漏斗保持台は前記上下方向案内機構により上下方向に移動可能であることが好ましい。これにより、医療用バッグ懸吊台に吊り下げられた医療用バッグの注入口に漏斗保持台に保持された漏斗の下端を確実に挿入することができる。
【００１９】
上記の本発明の医療用バッグ架台において、前記回動機構が平行リンク機構を含むことが好ましい。そして、前記漏斗保持台が前記上下方向案内機構により上下方向に移動可能であるとき、前記平行リンク機構の４つのジョイントが上下方向と平行な一直線上に配列されることが好ましい。これにより、医療用バッグ架台の奥行き寸法を小さくすることができる。
【００２０】
上記の本発明の医療用バッグ架台が、更に、前記回動機構を支持する側面板を備えることが好ましい。そして、前記側面板は、前記漏斗保持台が前記回動機構により回動する際に、前記漏斗保持台がその重量を支持されながら摺動する支持案内面を備えることが好ましい。漏斗保持台の重量が回動機構ではなく支持案内面で支持されるので、支持案内面で支持されない位置にまで漏斗保持台を回動したとき、漏斗保持台がその自重により上下方向案内機構に案内されて下降する構成を容易に実現できる。また、漏斗保持台の重量が側面板により支持されるので、小さな力で漏斗保持台を回動させることができる。
【００２１】
この場合において、前記回動機構は、前記医療用バッグ懸吊台の上方から退避した第１回動位置と、前記医療用バッグ懸吊台の上方の位置である第２回動位置との間で前記漏斗保持台を回動させ、前記第１回動位置と前記第２回動位置との間の第３回動位置にて前記漏斗保持台が重力により回動することがないように、前記支持案内面に切り欠きが形成されていることが好ましい。これにより、簡単な構成で第１回動位置と第２回動位置との間の第３回動位置にて漏斗保持台を静止させることができる。また、たとえば多くの医療用バッグに液状物を繰り返して連続して注入する場合に、第２回動位置と第３回動位置とで漏斗保持台を往復させれば漏斗保持台の移動量を少なくできるので、液状物の注入作業を短時間で効率良く行うことが出来る。
【００２２】
上記の本発明の医療用バッグ架台において、前記回動機構は、前記医療用バッグ懸吊台の上方から退避した第１回動位置と、前記医療用バッグ懸吊台の上方の位置である第２回動位置との間で前記漏斗保持台を回動させ、前記漏斗保持台が前記第２回動位置に対して前記第１回動位置とは反対側に更に回動するのを防止する回動制限機構を更に備えることが好ましい。これにより、医療用バッグ懸吊台に吊り下げられた医療用バッグの注入口に漏斗保持台に保持された漏斗の下端を確実に挿入することができる。従って、液状物の注入作業を効率良く行うことが出来る。また、医療用バッグ架台が前側に転倒するのを防止することができる。
【００２３】
上記の本発明の医療用バッグ架台が、前記漏斗保持台が前記上下方向案内機構に沿って上方向に抜き取られてしまうのを防止する抜け止め機構を更に備えることが好ましい。これにより、液状物の注入作業中の操作ミスの発生を防ぎ、液状物の注入作業を安定して行うことが出来る。
【００２４】
以下、本発明の医療用バッグ架台を好適な実施形態を示しながら詳細に説明する。
【００２５】
図１は、本発明の一実施形態に係る医療用バッグ架台１の概略構成を示した斜視図である。以下の説明の便宜のために、図示したように、医療用バッグ架台１の幅方向軸をＸ軸、奥行き方向軸をＹ軸、上下方向軸をＺ軸とするＸＹＺ直交座標系を設定する。図示した矢印の向きを、Ｘ軸、Ｙ軸、及びＺ軸の正の向きとする。Ｘ軸の正の側を右側、負の側を左側と呼び、Ｙ軸の正の側を後側、負の側を前側と呼び、Ｚ軸の正の側を上側、負の側を下側と呼ぶ。
【００２６】
Ｙ軸及びＺ軸を含む面（以下「ＹＺ面」という）と平行な３つの側面板１０Ｌ，１０Ｃ，１０Ｒが、Ｘ軸方向に互いに略等間隔で配置されている。Ｘ軸方向に延びた医療用バッグ懸吊台３０が３つの側面板１０Ｌ，１０Ｃ，１０Ｒの上端に架け渡されて支持されている。一対の支持バー２１Ｌ，２２Ｌが互いに隣り合う側面板１０Ｌ，１０Ｃの下端間を連結しており、一対の支持バー２１Ｒ，２２Ｒが互いに隣り合う側面板１０Ｃ，１０Ｒの下端間を連結している。
【００２７】
医療用バッグ懸吊台３０の前側の端縁には、医療用バッグを吊り下げるための４つの切り欠き３１が形成されている。医療用バッグ懸吊台３０の上面には、各切り欠き３１の近傍に４つの凹部３２が形成されている。
【００２８】
Ｘ軸方向に延びた漏斗保持台７０が、３つの側面板１０Ｌ，１０Ｃ，１０Ｒ上に支持されている。漏斗保持台７０には、医療用バッグ懸吊台３０に吊り下げられた医療用バッグに液状物を注入する際に使用する漏斗を挿入して保持する４つの貫通孔７１が形成されている。
【００２９】
漏斗保持台７０のＸ軸方向の両端と一対の側面板１０Ｌ，１０Ｒとは回動機構及び上下方向案内機構を介して連結されている。
【００３０】
図２及び図３は、側面板１０Ｌに設けられる回動機構及び上下方向案内機構の分解斜視図である。図２は前側から見た斜視図であり、図３は後側から見た斜視図である。ここでは側面板１０Ｌ側に設けられる回動機構及び上下方向案内機構を説明するが、側面板１０Ｒ側にもこれと同様の回動機構及び上下方向案内機構が設けられる。
【００３１】
側面板１０Ｌに設けられた一対の孔１１ａ，１１ｂと、一対の第１リンク８１，８２の各一端に設けられた貫通孔８１ａ，８２ａとに、それぞれ図示しないピンが挿入されて、側面板１０Ｌと一対の第１リンク８１，８２とが回動可能に連結される。一対の第１リンク８１，８２の各他端に設けられた貫通孔８１ｂ，８２ｂと、第２リンク９０の一対の孔９０ａ，９０ｂとに、それぞれ図示しないピンが挿入されて、一対の第１リンク８１，８２と第２リンク９０とが回動可能に連結される。第１リンク８１の両端の貫通孔８１ａ，８１ｂの中心間隔と、第１リンク８２の両端の貫通孔８２ａ，８２ｂの中心間隔とは同一寸法である。側面板１０Ｌに設けられた一対の孔１１ａ，１１ｂの中心間隔と第２リンク９０の一対の孔９０ａ，９０ｂの中心間隔とは同一寸法である。側面板１０Ｌに対して一対の第１リンク８１，８２は回動可能に連結されており、一対の第１リンク８１，８２のそれぞれに対して第２リンク９０は回動可能に連結されている。かくして、側面板１０Ｌと、一対の第１リンク８１，８２と、第２リンク９０とにより平行リンク機構が構成される。側面板１０Ｌと一対の第１リンク８１，８２との間の２つの回動中心、及び第２リンク９０と一対の第１リンク８１，８２との間の２つの回動中心は平行リンク機構の４つのジョイントを構成する。側面板１０Ｌ上の一対の孔１１ａ，１１ｂはＺ軸と平行な一直線上に設けられているので、この平行リンク機構は、第２リンク９０の一対の孔（即ち、第２リンク９０に設けられた一対のジョイント）９０ａ，９０ｂを結ぶ方向が常にＺ軸と平行になるように維持したまま、第２リンク９０を側面板１０Ｌに対して回動させる。漏斗保持台７０のＸ軸方向端に摺動板１００が連結されており、摺動板１００と第２リンク９０とは後述する上下方向案内機構を介して連結されている。従って、上述の平行リンク機構は、ＹＺ面と平行な面内にて漏斗保持台７０を回動させる回動機構を構成する。
【００３２】
漏斗保持台７０は、Ｘ軸方向の中央に配置された保持台結合部材７０Ｃと、保持台結合部材７０Ｃに対してＸ軸方向の左側に配置された左保持台片７０Ｌと、保持台結合部材７０Ｃに対してＸ軸方向の右側に配置された右保持台片７０Ｒとが結合されて構成されている。
【００３３】
左保持台片７０Ｌの左側端に形成された連結用突起７３が、摺動板１００の連結用切り欠き１０４に嵌入され、これらの嵌合部分にＹ軸方向に平行なピン（図示せず）が貫通されて、漏斗保持台７０と摺動板１００とが連結される。摺動板１００の上端からＺ軸と平行に下方に向かって所定深さの摺動溝１０５が切り欠き状に形成されている。摺動溝１０５のＹ軸方向に対向する２側面には平滑な一対の第１摺動面１０１がＺ軸と平行に延設されている。摺動板１００の摺動溝１０５内に第２リンク９０が挿入される。第２リンク９０のＹ軸方向と交差する両端面には、平滑な一対の第１案内面９１が、一対の孔９０ａ，９０ｂを結ぶ方向と平行に延設されている。第２リンク９０が回動機構により回動されても、一対の第１案内面９１は常にＺ軸と平行である。摺動板１００の一対の第１摺動面１０１は、第２リンク９０のこの一対の第１案内面９１上を摺動することができる。従って、摺動板１００及びこれに連結された漏斗保持台７０は、第２リンク９０の一対の第１案内面９１によりＺ軸方向に案内される。かくして、漏斗保持台７０をＺ軸方向に案内する上下方向案内機構は、第２リンク９０の一対の第１案内面９１及び摺動板１００の一対の第１摺動面１０１を含む。
【００３４】
摺動板１００の後側の側面には平滑な第２摺動面１０２がＺ軸と平行に延設されている。また、側面板１０Ｌの上端には、平滑な第２案内面１２がＺ軸と平行に延設されている。漏斗保持台７０が医療用バッグ懸吊台３０の上方に位置するとき（即ち、漏斗保持台７０が後述する第２回動位置にあるとき）、側面板１０Ｌの第２案内面１２上を摺動板１００の第２摺動面１０２が摺動することができる。従って、摺動板１００及びこれに連結された漏斗保持台７０は、側面板１０Ｌの第２案内面１２によりＺ軸方向に案内される。かくして、漏斗保持台７０をＺ軸方向に案内する上下方向案内機構は、側面板１０Ｌの第２案内面１２及び摺動板１００の第２摺動面１０２を更に含む。
【００３５】
側面板１０Ｌの上端の、後側端から医療用バッグ懸吊台３０が固定された位置近傍に至る範囲に、支持案内面１３が形成されている。支持案内面１３の途中には切り欠き１４が形成されている。切り欠き１４を挟んで後側の支持案内面１３ａ及び前側の支持案内面１３ｂは、それぞれＹ軸方向において後側端が最も低く、これから前側にいくにしたがって徐々に高くなるような、回動機構の回動中心近傍（即ち、孔１１ａ，１１ｂ近傍）を中心とする略円弧状の滑らかな曲面である。切り欠き１４の近傍において後側の支持案内面１３ａが前側の支持案内面１３ｂよりも高くなるように、切り欠き１４を挟む支持案内面１３ａ，１３ｂ間に段差が形成されている。
【００３６】
摺動板１００の下端には、滑らかな曲面からなる第３摺動面１０３が形成されている。漏斗保持台７０が上述した回動機構によって回動されるとき、側面板１０Ｌの支持案内面１３上を漏斗保持台７０に連結された摺動板１００の第３摺動面１０３が案内され摺動される。漏斗保持台７０及び摺動板１００の重量は、後述する第２回動位置にある場合を除いて側面板１０Ｌの支持案内面１３によって常に支持されており、漏斗保持台７０が上述した回動機構によって回動されるとき、漏斗保持台７０に連結された摺動板１００は第２リンク９０に対して必要に応じてＺ軸方向に自由に移動する。
【００３７】
摺動板１００にはＸ軸方向の外側に向かって突出した把持突起１０６が設けられている。
【００３８】
詳細な説明を省略するが、側面板１０Ｒ側に設けられる回動機構及び上下方向案内機構は上述した側面板１０Ｌ側に設けられる回動機構及び上下方向案内機構と面対称な構成を有している。
【００３９】
保持台結合部材７０Ｃには、摺動板１００に設けられた第２摺動面１０２及び第３摺動面１０３と同様に機能する第２摺動面１０２及び第３摺動面１０３が設けられている。また、Ｘ軸方向の中央に配置される側面板１０Ｃの上端には、両外側の側面板１０Ｌ，１０Ｒに設けられた第２案内面１２、支持案内面１３、及び、切り欠き１４と同様に機能する第２案内面１２、支持案内面１３、及び、切り欠き１４が設けられている。
【００４０】
中央の側面板１０Ｃには、医療用バッグ架台１を持ち上げる際に把持する略Ｌ字状の把持アーム１５が設けられている。
【００４１】
次に、以上のように構成された本実施形態の医療用バッグ架台１の使用方法及び動作を説明する。
【００４２】
初期状態では、図１に示すように、回動機構により漏斗保持台７０は最も後側に回動されている。漏斗保持台７０のこの回動位置を「第１回動位置」と呼ぶ。ここで、漏斗保持台７０の「回動位置」とは、回動中心に対する角度、即ち回動機構を構成する一対の第１リンク８１，８２の傾きにより判断し、漏斗保持台７０の高さや回動中心からの距離の違いは考慮しない。
【００４３】
漏斗保持台７０が第１回動位置にあるときに、図４Ａ及び図４Ｂに示すように、例えば図８に示した空の医療用バッグ９００を医療用バッグ懸吊台３０の切り欠き３１に挿入して医療用バッグ懸吊台３０に吊り下げる。医療用バッグ９００のポート９２０の外周に形成された突出した環状の鍔９２２を、切り欠き３１の周縁で支持することにより、図４Ａ及び図４Ｂに示すように、液状物を注入するためのポート９２０を上方に向けた状態で医療用バッグ９００を吊り下げることができる。ここでは、医療用バッグとしては図８に示した医療用バッグ９００を用いる例を示したが、これ以外の医療用バッグであっても良い。使用する医療用バッグの形状に応じて、医療用バッグ懸吊台３０に形成される切り欠き３１の形状が設定されることが好ましい。医療用バッグ懸吊台３０の凹部３２には、吊り下げられた医療用バッグ９００のポート９２０に取り付けるキャップを載置することができる。
【００４４】
また、図４Ａ及び図４Ｂに示すように、漏斗９５０を漏斗保持台７０の貫通孔７１に挿入して漏斗保持台７０に保持させる。漏斗９５０が安定して保持されるように、貫通孔７１の周縁の形状は使用する漏斗９５０の形状に沿うように形成されていることが好ましい。
【００４５】
次に、摺動板１００の把持突起１０６を把持して漏斗保持台７０を前方向に引き寄せる。このとき、回動機構を構成する一対の第１リンク８１，８２がその貫通孔８１ａ，８２ａを中心としてそれぞれ回動し、漏斗保持台７０に連結された摺動板１００及び保持台結合部材７０Ｃの各第３摺動面１０３が側面板１０Ｌ，１０Ｃ，１０Ｒの各支持案内面１３上を摺動する。漏斗保持台７０のＺ軸方向における位置は支持案内面１３のＺ軸方向の高さ変化に依存する。
【００４６】
漏斗保持台７０が前方向に移動するにしたがって、支持案内面１３の高さ変化に応じて漏斗保持台７０が徐々に上昇する。そして、摺動板１００及び保持台結合部材７０Ｃの各第３摺動面１０３が、支持案内面１３に形成された切り欠き１４を超えて、遂に支持案内面１３の前側端に到達する（図５Ａ、図５Ｂ）。漏斗保持台７０のこの回動位置を「第２回動位置」と呼ぶ。第２回動位置にある漏斗保持台７０は、医療用バッグ懸吊台３０の上方に位置している。
【００４７】
第２回動位置に到達すると、漏斗保持台７０は、支持案内面１３による支持を失い、重力より下方に落下する。この際、摺動板１００の第１摺動面１０１が第２リンク９０の第１案内面９１によりＺ軸方向に案内され、且つ、摺動板１００及び保持台結合部材７０Ｃの第２摺動面１０２が側面板１０Ｌ，１０Ｃ，１０Ｒの第２案内面１２によりＺ軸方向に案内される（図２、図３参照）。従って、摺動板１００及びこれに連結された漏斗保持台７０は滑らかに下方に落下することができる。
【００４８】
第２回動位置にて下方に落下した漏斗保持台７０及び摺動板１００の重量は、図６Ａ及び図６Ｂに示すように、摺動板１００及び保持台結合部材７０Ｃの各下端が医療用バッグ懸吊台３０の上面に当接することで支持される。
【００４９】
漏斗保持台７０が第２回動位置にて下方に落下すると、図６Ａ及び図６Ｂに示すように、漏斗保持台７０に保持された漏斗９５０の下端が医療用バッグ懸吊台３０に吊り下げられた医療用バッグ９００のポート９２０の貫通孔９２１（図８参照）内に挿入される。この状態で、各漏斗９５０内に液状物を順に注ぎ込み、医療用バッグ９００内に液状物を注入する。
【００５０】
漏斗９５０は漏斗保持台７０により保持されており、且つ、医療用バッグ９００は医療用バッグ懸吊台３０により吊り下げられているので、液状物の注入作業中に作業者が漏斗９５０及び医療用バッグ９００に手を触れる必要がない。従って、作業者は、注入しようとする液状物が入れられた容器を両手でしっかりと保持することができるので、液状物の注入作業を安定して行うことができる。また、漏斗保持台７０に保持された複数の漏斗９５０に順に液状物を注入することができるので、複数の医療用バッグ９００に効率よく液状物を注入することができる。あるいは、注入しようとする液状物を入れた容器から分岐した複数のチューブの末端を複数の漏斗９５０内にそれぞれ差し込めば、この複数のチューブを介して複数の医療用バッグ９００に同時に液状物を注入することができ、液状物の注入作業が更に効率化する。また、１つの医療用バッグ９００の容量に対応した量の液状物が容器内に収納されている場合には、個々の漏斗９５０上に開栓した容器を載置した状態で放置して別の作業を行うことが可能であり、作業効率が向上する。
【００５１】
医療用バッグ９００への液状物の注入が完了すると、摺動板１００の把持突起１０６を把持して漏斗保持台７０を上方に持ち上げる。この際、摺動板１００の第１摺動面１０１が第２リンク９０の第１案内面９１によりＺ軸方向に案内され、且つ、摺動板１００及び保持台結合部材７０Ｃの第２摺動面１０２が側面板１０Ｌ，１０Ｃ，１０Ｒの第２案内面１２によりＺ軸方向に案内される。
【００５２】
摺動板１０５の摺動溝１０５の下端１０５ａ（図２、図３参照）が第２リンク９０の下端に当接することにより、漏斗保持台７０及び摺動板１００の上方向への移動が制限されるので、第２リンク９０に対して摺動板１０５及びこれに連結された漏斗保持台７０が上方向に抜き取られてしまうのが防止される。
【００５３】
その後、漏斗保持台７０及び摺動板１００の重量を側面板１０Ｌ，１０Ｃ，１０Ｒの各支持案内面１３で支持させて、漏斗保持台７０に連結された摺動板１００及び保持台結合部材７０Ｃの各第３摺動面１０３を側面板１０Ｌ，１０Ｃ，１０Ｒの各支持案内面１３上で摺動させながら、漏斗保持台７０を後側に移動させて、医療用バッグ懸吊台３０の上方から退避させる。
【００５４】
漏斗保持台７０を、支持案内面１３に形成された切り欠き１４を超えて更に後側に移動させることにより、図４Ａ及び図４Ｂに示す第１回動位置に戻る。この状態にて、医療用バッグ懸吊台３０に吊り下げられた、液状物が注入された医療用バッグ９００のポート９２０に凹部３２に載置されていたキャップを取り付けてその貫通孔９２１（図８参照）を塞ぎ、医療用バッグ９００を医療用バッグ懸吊台３０から取り外す。また、漏斗保持台７０に搭載された漏斗９５０を取り除く。かくして医療用バッグ架台は図１に示す初期状態となる。以下、必要に応じて上記の動作を繰り返すことにより、更に多くの医療用バッグ９００に液状物を注入することができる。
【００５５】
上記において、漏斗保持台７０を第１回動位置まで戻すのではなく、図７Ａ及び図７Ｂに示すように、漏斗保持台７０に連結された摺動板１００及び保持台結合部材７０Ｃの下端を支持案内面１３に形成された切り欠き１４で係止しても良い。上述したように、切り欠き１４の近傍において後側の支持案内面１３ａが前側の支持案内面１３ｂよりも高いので、摺動板１００及び保持台結合部材７０Ｃの下端が切り欠き１４で係止され、漏斗保持台７０が重力により第１回動位置側に移動することがない。漏斗保持台７０のこの回動位置を「第３回動位置」と呼ぶ。
【００５６】
この第３回動位置では、漏斗保持台７０は医療用バッグ懸吊台３０の上方から後側に退避している。従って、この状態で医療用バッグ９００の交換をすることができる。即ち、医療用バッグ懸吊台３０に吊り下げられた、液状物が注入された医療用バッグ９００のポート９２０にキャップを取り付けてその貫通孔９２１（図８参照）を塞ぎ、医療用バッグ９００を医療用バッグ懸吊台３０から取り外す。そして、新たな空の医療用バッグ９００を医療用バッグ懸吊台３０に吊り下げる。その後、漏斗保持台７０を第２回動位置に戻し（図５Ａ及び図５Ｂ）、下方に移動させる（図６Ａ及び図６Ｂ）。そして、上記と同様にして漏斗９５０を介して医療用バッグ９００内に液状物を注入する。以下、必要に応じてこの動作を繰り返しても良い。
【００５７】
多くの医療用バッグ９００に液状物を繰り返して連続して注入する場合には、上記のように、漏斗保持台７０を第１回動位置と第２回動位置との間で往復させるのではなく、第２回動位置と第３回動位置との間で往復させることが好ましい。これにより、漏斗保持台７０の移動量を少なくすることができるので、液状物の注入作業を効率良く行うことが出来る。
【００５８】
以上のように、本実施形態の医療用バッグ架台１は、漏斗保持台７０を上下方向に案内する上下方向案内機構を備えている。従って、漏斗保持台７０に複数の漏斗９５０を保持させておき、且つ、医療用バッグ懸吊台３０にこれと同数の医療用バッグ９００を吊り下げておけば、複数の漏斗９５０を複数の医療用バッグ９００のポート９２０に対して一括して挿入し、抜き取ることができるので、作業効率が向上する。
【００５９】
また、漏斗保持台７０を回動させる回動機構を備えているので、漏斗９５０を医療用バッグ９００の上方から退避させることができる。従って、医療用バッグ懸吊台３０に対する医療用バッグ９００の取り付け及び取り外し作業や、医療用バッグ９００のポート９２０へのキャップの取り付け作業を容易に行うことが出来る。
【００６０】
更に、本実施形態の医療用バッグ架台１では、上下方向案内機構と回動機構とを工夫することにより、漏斗保持台７０の回動運動と上下方向運動とを連続して滑らかに行うことが出来る。
【００６１】
また、本実施形態の医療用バッグ架台を用いれば、漏斗９５０を漏斗保持台７０に保持させ、且つ、医療用バッグ９００を医療用バッグ懸吊台３０に吊り下げておくことができるので、漏斗９５０の挿入、液状物の注入、漏斗９５０の抜き取り、キャップの取り付けという一連の作業を必要に応じて途中で中断することができる。従って、作業者に対する精神的及び肉体的な負担を軽減することが出来る。
【００６２】
上記の実施形態では、一対の第１リンク８１，８２の形状を工夫することにより、漏斗保持台７０が上下方向案内機構によりＺ軸方向に移動可能な位置（即ち第２回動位置）にあるとき、回動機構を構成する平行リンクの４つのジョイント（即ち、一対の第１リンク８１，８２の貫通孔８１ａ，８２ａ，８１ｂ，８２ｂ）がＺ軸と平行な一直線上に配置される。これにより、医療用バッグ架台１のＹ軸方向の寸法を小さくすることができる。
【００６３】
もちろん、側面板１０Ｌ，１０Ｒに対する一対の第１リンク８１，８２の回動中心である貫通孔８１ａ，８２ａに対して貫通孔８１ｂ，８２ｂがＹ軸方向において後側にあるときに、漏斗保持台７０がＺ軸方向に移動可能となるように設計することも可能である。但し、この場合、医療用バッグ架台１のＹ軸方向の寸法が増大してしまう。
【００６４】
また、上記の実施形態では、漏斗保持台７０を第１回動位置から第２回動位置に向かって回動させると、第２回動位置にて回動機構を構成する一対の第１リンク８１，８２が互いに当接するので、漏斗保持台７０をこれより更に前側に回動させることが出来ない。このように、漏斗保持台７０の回動範囲を制限する回動制限機構を設けることにより、漏斗保持台７０を決められた第２回動位置にて下降させることが出来るので、漏斗保持台７０を下降させると、漏斗保持台７０に保持された漏斗９５０の下端を医療用バッグ懸吊台３０に吊り下げられた医療用バッグ９００のポート９２０の貫通孔９２１内に常に安定して挿入することが出来る。本実施形態では、第２回動位置での漏斗保持台７０の回動方向の位置は、第１回動位置とは反対側には上記の回動制限機構により規制され、第１回動位置側には摺動板１００及び保持台結合部材７０Ｃの第２摺動面１０２が側面板１０Ｌ，１０Ｃ，１０Ｒの第２案内面１２上を摺動することにより規制される。従って、漏斗保持台７０を下降させると、漏斗９５０の下端を医療用バッグ９００のポート９２０の貫通孔９２１内に常に安定して挿入することが出来る。また、漏斗を保持した漏斗保持台７０が第２回動位置よりも更に前側に回動することにより医療用バッグ架台１が前側に転倒するのを防止することもできる。
【００６５】
上述した実施形態は一例に過ぎず、本発明はこの実施形態に限定されない。
【００６６】
例えば、上記の実施形態では、漏斗保持台７０を第１回動位置と第２回動位置との間の第３回動位置で静止させるために、支持案内面１３に切り欠き１４を形成したが、本発明はこれに限定されず、支持案内面１３を、切り欠き１４が形成されていない連続した滑らかな曲面としても良い。
【００６７】
上記の実施形態では、医療用バッグ懸吊台３０に４つの医療用バッグ９００を吊り下げることができ、漏斗保持台７０に４つの漏斗９５０を保持できる医療用バッグ架台を示したが、医療用バッグ懸吊台３０に吊り下げることができる医療用バッグ９００の数Ｎ１、及び漏斗保持台７０に保持できる漏斗９５０の数Ｎ２は４つに限定されない。Ｎ１及びＮ２は、同数であれば良く、３以下又は５以上であっても良い。医療用バッグ懸吊台３０に複数の医療用バッグ９００を吊り下げることにより、複数の医療用バッグ９００に効率よく液状物を注入することができる。
【００６８】
上記の実施形態では、３つの側面板１０Ｌ，１０Ｃ，１０Ｒを有し、３つの側面板１０Ｌ，１０Ｃ，１０Ｒの各上端の支持案内面１３が漏斗保持台７０及び摺動板１００の重量を支持していたが、本発明はこれに限定されない。例えば側面板の数を２つ又は４つ以上としても良い。また、漏斗保持台７０及び摺動板１００の重量を、すべての側面板で支持するのではなく、一部の側面板のみで支持しても良い。
【産業上の利用可能性】
【００６９】
本発明の利用分野は特に制限はなく、経腸栄養法や静脈栄養法で使用される液状物を空の医療用バッグに分注する際に使用する医療用バッグ架台として広く利用することが出来る。
【図面の簡単な説明】
【００７０】
【図１】図１は、本発明の一実施形態に係る医療用バッグ架台の概略構成を示した斜視図である。
【図２】図２は、本発明の一実施形態に係る医療用バッグ架台において、回動機構及び上下方向案内機構の概略構成を斜め前方から見た分解斜視図である。
【図３】図３は、本発明の一実施形態に係る医療用バッグ架台において、回動機構及び上下方向案内機構の概略構成を斜め後方から見た分解斜視図である。
【図４Ａ】図４Ａは、漏斗保持台が第１回動位置にあり、医療用バッグ及び漏斗が搭載された本発明の一実施形態に係る医療用バッグ架台を斜め前方から見た斜視図である。
【図４Ｂ】図４Ｂは、漏斗保持台が第１回動位置にあり、医療用バッグ及び漏斗が搭載された本発明の一実施形態に係る医療用バッグ架台を斜め後方から見た斜視図である。
【図５Ａ】図５Ａは、漏斗保持台が第２回動位置にあり、医療用バッグ及び漏斗が搭載された本発明の一実施形態に係る医療用バッグ架台を斜め前方から見た斜視図である。
【図５Ｂ】図５Ｂは、漏斗保持台が第２回動位置にあり、医療用バッグ及び漏斗が搭載された本発明の一実施形態に係る医療用バッグ架台を斜め後方から見た斜視図である。
【図６Ａ】図６Ａは、漏斗保持台が第２回動位置にて下方に落下し、医療用バッグ及び漏斗が搭載された本発明の一実施形態に係る医療用バッグ架台を斜め前方から見た斜視図である。
【図６Ｂ】図６Ｂは、漏斗保持台が第２回動位置にて下方に落下し、医療用バッグ及び漏斗が搭載された本発明の一実施形態に係る医療用バッグ架台を斜め後方から見た斜視図である。
【図７Ａ】図７Ａは、漏斗保持台が第３回動位置にあり、医療用バッグ及び漏斗が搭載された本発明の一実施形態に係る医療用バッグ架台を斜め前方から見た斜視図である。
【図７Ｂ】図７Ｂは、漏斗保持台が第３回動位置にあり、医療用バッグ及び漏斗が搭載された本発明の一実施形態に係る医療用バッグ架台を斜め後方から見た斜視図である。
【図８】図８は、従来の医療用バッグの一例の概略構成を示した正面図である。
【符号の説明】
【００７１】
１  医療用バッグ架台
１０Ｌ，１０Ｃ，１０Ｒ  側面板
１１ａ，１１ｂ  孔
１２  第２案内面
１３，１３ａ，１３ｂ  支持案内面
１４  切り欠き
１５  把持アーム
２１Ｌ，２１Ｒ，２２Ｌ，２２Ｒ  支持バー
３０  医療用バッグ懸吊台
３１  切り欠き
３２  凹部
７０  漏斗保持台
７０Ｌ，７０Ｒ  保持台片
７０Ｃ  保持台結合部材
７１  貫通孔
７３  連結用突起
８１，８２  第１リンク
８１ａ，８２ａ，８１ｂ，８２ｂ  貫通孔
９０  第２リンク
９０ａ，９０ｂ  孔
９１  第１案内面
１００  摺動板
１０１  第１摺動面
１０２  第２摺動面
１０３  第３摺動面
１０４  連結用切り欠き
１０５  摺動溝
１０６  把持突起
９００  医療用バッグ
【図１】
2008173301.tif 000003
【図２】
2008173301.tif 000004
【図３】
2008173301.tif 000005
【図４Ａ】
2008173301.tif 000006
【図４Ｂ】
2008173301.tif 000007
【図５Ａ】
2008173301.tif 000008
【図５Ｂ】
2008173301.tif 000009
【図６Ａ】
2008173301.tif 000010
【図６Ｂ】
2008173301.tif 000011
【図７Ａ】
2008173301.tif 000012
【図７Ｂ】
2008173301.tif 000013
【図８】
2008173301.tif 000014